(57)【要約】      （修正有）【課題】上部半球体を下部半球体の各開口端部を接着して球体部を作る作業を行い易く、かつ、その上内部の音発生装置の音の音質を良くし、外へ響き易いように成した起き上がり小法師を提供する。【解決手段】上部半球体２と下部半球体３の互いの開口部を接着し、内部に音発生装置６と錘体５とから成る内部構成手段７を取り付けて成る球体部を有する起き上がり小法師において、前記上部半球体を真空成形で構成した肉薄のものを用い、前記下部半球体をブロー成形で形成した上部半球体より肉厚のものを用いて構成する。【選択図】図３
0003158902.tif 000002
【実用新案登録請求の範囲】
【請求項１】
上部半球体と下部半球体の互いの開口部を接着し、内部に音発生装置と錘体とから成る内部構成手段を取り付けて成る球体部を有する起き上がり小法師において、前記上部半球体を真空成形で構成した肉薄のものを用い、前記下部半球体をブロー成形で構成した上部半球体より肉厚のものを用いたことを特徴とする、起き上がり小法師。
【請求項２】
前記球体部に縫いぐるみを着付けさせたことを特徴とする、請求項１に記載の起き上がり小法師。
【請求項３】
前記球体部或は縫いぐるみに小物入れを取り付けたことを特徴とする、請求項１又は２のいずれか１項に記載の起き上がり小法師。
【考案の詳細な説明】
【技術分野】
【０００１】
本考案は、起き上がり小法師に関するものである。
【背景技術】
【０００２】
従来、起き上がり小法師は、主として子供向けの玩具として古くから広く世間に普及している。この従来公知の起き上がり小法師は、一般的に球体状を呈した通称オルゴール球と称される中空の球体部の外側に絵や図形や模様を施し、内部に音発生装置や錘体から成る内部構成手段を収容させており、球体部を卓上に置いて軽く押してやって手を放すと、３６０°いずれの方向にも揺動し何回かの揺動動作の後、錘体の力で元位置に戻って静止するが、揺動した際に音発生装置がカランコロンという様々に音程の異なる音を発するものである。近年、この起き上がり小法師の球体部に縫いぐるみをまとわせたものが、下記特許文献１に示したように、出回っている。
【先行技術文献】
【特許文献】
【０００３】
【特許文献１】実開昭６１−１３０２９１号公報
【考案の概要】
【考案が解決しようとする課題】
【０００４】
上記した従来公知の起き上がり小法師の通称オルゴール球と称せられる球体部は、真空成形か或は射出成形で作られるのが一般である。真空成形で作るには、プラ製板（通常ＰＡＴ材）をプレスで円形に打ち抜き、この円板を真空成形型を用いて半球形状の上部半球体と下部半球体を作り、下部半球体の中に音発生装置（オルゴール）や錘体から成る内部構成手段をセットした後、この上部半球体と下部半球体の各開口部端部を合わせて接着剤で接着して球体部を作るものである。
【０００５】
他方、球体部を射出成形で作る場合には、上部半球体用の上部成形用金型と下部半球体用の下部成形金型を作り、それぞれに樹脂を射出により流し込んで上部半球体と下部半球体を作り、下部半球体の中へ音発生装置（オルゴール）と錘体から成る内部構成手段を取り付けた後、互いの開口部を嵌合させて重合部を接着剤で接着して球体部を作るものである。
【０００６】
上述した両製造方法の両者の欠点と利点は次のとおりである。真空成形品の方は、上部半球体と下部半球体の各開口端部を合わせて接着する工程が難しく熟練を要するため、加工に時間がかかるという問題がある上に、材質が柔らかくて触った感触が良い反面へこみ易いという問題がある。しかし、中の音発生装置からの音の音質が良く、外に響き易いという利点を有している。
【０００７】
射出成形品の方は、上部成形用金型と下部成形用金型を雄型と雌型にすることができるため、上部半球体と下部半球体は雄型と雌型になるので、各開口部の接着が容易となるという利点を有するが、材厚が真空成形品より厚くなるので音発生装置が発する音が内部にこもってしまう上に、弾力性がないので音が響かないという欠点がある。また、材質を薄くすると強度が弱くなり、材質が割れ易くなるという欠点がある。
【０００８】
そこで、本考案の目的は、上部半球体を下部半球体の各開口端部を接着して球体部を作る作業を行い易く、かつ、その上内部の音発生装置の音の音質を良くし、外へ響き易いように成した起き上がり小法師を提供せんとするにある。
【課題を解決するための手段】
【０００９】
上述した目的を達成するために本考案は、上部半球体と下部半球体の互いの開口部を接着し、内部に音発生装置と錘体とから成る内部構成手段を取り付けて成る球体部を有する起き上がり小法師において、前記上部半球体を真空成形で構成した肉薄のものを用い、前記下部半球体をブロー成形で構成した上部半球体より肉厚のものを用いたことを特徴とする。
【００１０】
本考案はその際に、前記球体部に縫いぐるみを着付けさせることができる。
【００１１】
本考案はさらに、前記球体部或は縫いぐるみに小物入れを取り付けたことを特徴とする。
【考案の効果】
【００１２】
本考案は以上のように構成したので、上部半球体と下部半球体を接続する場合に接続し易く、かつ、組立て後に音発生装置が発する音の音質が良く響き易くなるという効果を奏し得る。
【図面の簡単な説明】
【００１３】
【図１】本考案に係る起き上がり小法師の正面図である。
【図２】図１に示した起き上がり小法師の球体部の斜視図である。
【図３】図２に示した球体部の分解斜視図である。
【図４】図１に示した起き上がり小法師の縦断面図である。
【図５】本考案に係る起き上がり小法師のさらに他の実施例を示す斜視図である。
【考案を実施するための形態】
【００１４】
以下に本考案に係る起き上がり小法師の実施例を図面に基いて詳細に説明する。
【実施例１】
【００１５】
図１乃至図４において、この実施例１に係る起き上がり小法師１は、上部半球体２と下部半球体３とから成る球体部４と、球体部４内部の下部半球体３に収容固定された錘体５とオルゴールなどの音発生手段６から成る内部構成手段７と、球体部４の外側に被せられた縫いぐるみ人形８とで構成されている。尚、縫いぐるみ人形８は、実施例のものは動物人形であるが、このものに限定されない。
【００１６】
そして、この上部半球体２と下部半球体３の互いの開口部の一方を他方の開口部へ嵌入させて重ね合わせた上で、その重合部分を接着剤で接着することによって球形の球体部４としたものである。下部半球体３の底部にはボス部３ａが設けられると共に、その側部に空気流通用の小孔３ｂが設けられ、さらにその上端部には内側へ伸びる庇部３ｃが設けられている。
【００１７】
上部半球体２は、ほぼ真球体を半分にした状態のものである。しかるに、下部半球体３は、その開口部の口径は上部半球体２の開口部の口径とほぼ同じであるが、底部側の形状を真球体の輪郭とはせず、やや緩やかな湾曲形状に形成してある。もっとも、この形状に限定されない。
【００１８】
錘体５はリング状を呈し、合成樹脂製の筒状を呈したケース体９の内底部に取り付けられており、下部半球体３のボス部３ａを嵌入させることにより、ケース体９が位置ずれを起こさないように工夫されている。
【００１９】
音発生手段６は、錘体５の周縁部より立設した複数の長短の振動発音棒１０、１０・・・と、ケース体９の上部に被せた蓋体９ａの略中央部より吊下げた吊下げ部材１１ａを介して３６０°の方向へ揺動可能に吊下げた打撃槌部１１とで構成されている。ケース体９は、球体部４の内部にその上部と下部を突っ張らせる状態で、かつ、それ自身が移動しないように、その上部と下部を上部半球体２の頂部内面と下部半球体３の底部内面に当接させて設けられている。また、振動発音棒１０は図面ではその一部しか図示してないが、錘体５の周囲に輪状に設けてある。さらに、音発生手段６は、実施例のものに限定されず、その他の公知構成のものに変えることはできる。尚、実施例では、吊下げ部材１１ａは例えば針金であり、折り曲げてその折り曲げ部を蓋体９ａの中央部に取り付けられた取付体１１ｂに係止させた上で、蓋体９ａの上面に接着テープ１１ｃで固定されている。
【００２０】
縫いぐるみ人形８を構成する動物人形は布製のもので、その腹部８ａに球体部４を収容させる構成となっており、後部側に横断させて設けたファスナー８ｂを開いて球体部４を腹部８ａに収容した上でファスナー８ｂを閉めて球体部４へ着付けてある。この縫いぐるみ人形８は、実施例では少女を模した人形であるが、このものに限定されない。それは前述したように、その他のキャラクター人形や動物人形、その他の人形とすることができる。また、ファスナー８ｂはこれをフック留め、或はボタン留め、その他の固定手段とすることができる。尚、球体部４には縫いぐるみを着付けさせず、その外周面に彩色を施したり、絵を描くことによって、球体部のまま用いることもできる。
【００２１】
上部半球体２は、薄いプラ製板（ＡＢＳ或はＰＡＴ材）をプレスを用いて円形状に打ち抜き、この円板を真空成形型を用いて真空成形して、中空の半球状に形成したものを用いており、肉厚が薄いことから、音が良く響き、押すとへこむ構成である。
【００２２】
下部半球体３は、薄いプラ製板（ＡＢＳ或はＰＰ材）をブロー成形して作られている。このブロー成形は、押出し機から押出された図示してないプラスチックパリソンを、一対の割り金型の間に挟み、この挟み込んだプラスチックパリソンへ気体を吹き込み割り金型の内で膨らませて割り金型の内側に押し当てて容器に成形する公知のものである。実施例のものは雄形であり開口上端部に庇部３ｃが設けられると共に、その上端部側の外周を少し小径に形成して、上部半球体へ嵌入させる差し込み部３ｄが設けられている。
【００２３】
したがって、球体部４を組み立てる際には、上部半球体２より分離した状態の下部半球体３内へ、内部構成手段７をそのケース体９の下端部へ取り付けたリング状の錘体５へボス部３ａを嵌め込んで装着させた後、上部半球体２を上から被せてその開口端部へ下部半球体３の接着剤を塗布した差し込み部３ｅを嵌入させて暫く放置おくと、接着剤により下部半球体３と上部半球体２は互いの開口部に固着されて球体部４を形成する。その時同時に内部構成手段７のケース体９の縁部が上部半球体２の内部上端に接して固定される。
【００２４】
その後、縫いぐるみ人形８を球体部４に被せてファスナー４ａを締めると、図１に示した起き上がり小法師１が完成する。
【００２５】
このように起き上がり小法師１を机やテーブルの上に置いて３６０°いずれかの方向に押して手を離すと、起き上がり小法師１は押された方向へ揺動した後、錘体５により元位置に戻り若干の反動を繰り返した後、定位置で停止する。このように起き上がり小法師１が揺動すると、内部構成手段７の音発生手段６の打撃槌部１１が振動発音棒１０、１０・・・に当ってカラン、コロンという音を発生する。その際に本考案にあっては、上部半球体２を真空成形によって薄い材厚で構成したので、音が良く響き、音質の良い音を発することができるものである。
【００２６】
一方、下部半球体３はブロー成形で作ったので、材厚もあってしっかりとしており、手で押しても容易に変形することがないので、壊れにくく耐久性を有する構成となっている。
【実施例２】
【００２７】
図５は本考案のさらに他の実施例を示し、図面によればこの実施例２に係る起き上がり小法師１５は、図示してない球体部に被せた動物の縫いぐるみ人形１６に小物入れ用のポケット１７が取り付けられている。この実施例２の場合、図示してないが下部半球体のカーブは実施例１のものよりも弛やかに構成してある。また、錘体の重量を重くしてある。
【００２８】
このように構成すると、小物入れ用のポケット１７に小物を入れてもその重量で起き上がり小法師１５が傾斜してしまうのを防止できるものである。また、揺動した場合の復元力を強くして起き上がり小法師１５が傾斜したままになってしまうことを防止できるものである。
【産業上の利用可能性】
【００２９】
本名考案は以上のように構成したので、上部半球体と下部半球体の各開口端側を接合して球体部を作り易い上に、頑丈で音質の良い音を出すことのできる起き上がり小法師、或は起き上がりおもちゃ、小物入れを具えた起き上がり小法師として広く利用することができるものである。
【符号の説明】
【００３０】
１、１５  起き上がり小法師
２  上部半球体
３  下部半球体
３ａ  ボス部
３ｂ  小孔
３ｃ  庇部
３ｄ  差し込み部
４  球体部
８ｂ  ファスナー
５  錘体
６  音発生手段
７  内部構成手段
８、１６  縫いぐるみ人形
８ａ  腹部
９  ケース体
９ａ  蓋体
１０  振動発音棒
１１  打撃槌部
１１ａ  吊下げ部材
１７  ポケット
【図１】
0003158902.tif 000003
【図２】
0003158902.tif 000004
【図３】
0003158902.tif 000005
【図４】
0003158902.tif 000006
【図５】
0003158902.tif 000007